(57)【要約】【課題】使用者の操作が簡略化されるテレビを提供する。【解決手段】テレビのＣＰＵが実行する処理は、「戻る」キーの押下に基づく制御信号の受信を検知するステップ（Ｓ６１０）と、その制御信号の受信から経過する時間の計測を開始するステップ（Ｓ６２０）と、リモコンの数字キーを構成するいずれかの数字の押下に基づく制御信号の受信を検知するステップ（Ｓ６３０）と、「戻る」キーの押下と数字キーのいずれかの数字の押下との間隔が予め設定された一定時間以内である場合に（Ｓ６４０にてＹＥＳ）、「戻る」キーと数字キー（たとえば数字１）とに関連付けられた機能（お気に入り（グループ１）のＢＢＣを選局）を実行するステップ（Ｓ６５０）とを含む。【選択図】図６
2011003959.tif 000002
【特許請求の範囲】
【請求項１】
テレビジョン受信装置であって、
チューナと、
前記テレビジョン受信装置のリモコン装置によって発信される複数の制御信号を受信するための受信器とを備え、前記複数の制御信号は、テレビ放送番組が表示されている時に前記テレビジョン受信装置の機能を変更する命令として前記テレビジョン受信装置に受け付けられる信号と受け付けられない信号とを含み、
前記テレビジョン受信装置の機能と、前記リモコン装置の数字キーとの割り当てを格納するためのメモリと、
前記メモリに接続されたプロセッサとを備え、
前記メモリは、前記テレビジョン受信装置の動作を規定するための定義を格納しており、前記定義は、前記リモコン装置の複数のスイッチのうちの、番組が表示されている時に前記テレビジョン受信装置の機能を変更する命令として受け付けられない信号を発信する空きスイッチと、当該スイッチに関連付けられた数字キーと、当該数字キーに関連付けられた前記テレビジョン受信装置の動作とを含み、
前記プロセッサは、前記空きスイッチの操作および前記数字キーの操作が一定の時間内に行なわれたことを検知すると、当該数字キーに関連付けられた動作を、前記テレビジョン受信装置に実行させるように構成されている、テレビジョン受信装置。
【請求項２】
前記プロセッサは、
前記テレビジョン受信装置の設定モードにおいて、前記空きスイッチと、数字キーと、前記テレビジョン受信装置の動作とを関連付けるための入力を受け付けるように構成されている、請求項１に記載のテレビジョン受信装置。
【請求項３】
前記プロセッサは、
前記テレビジョン受信装置による番組の表示中に、前記リモコン装置からの制御信号に基づいて、動作モードを前記設定モードに切り換え、かつ、
前記空きスイッチと前記数字キーとを関連付けるために前記リモコン装置から送信される制御信号を受信すると、前記空きスイッチおよび前記数字キーと、前記番組とを関連付けて前記メモリに格納するように構成されている、請求項２に記載のテレビジョン受信装置。
【請求項４】
前記プロセッサは、
前記テレビジョン受信装置の番組の受信中に、前記リモコン装置からの制御信号に基づいて、動作モードを前記設定モードに切り換え、かつ、
前記空きスイッチと前記数字キーとを関連付けるために前記リモコン装置から送信される制御信号を受信すると、前記空きスイッチおよび前記数字キーと、映像を表示するための画質モードとを関連付けて前記メモリに格納するように構成されている、請求項２または３に記載のテレビジョン受信装置。
【請求項５】
前記プロセッサは、
前記テレビジョン受信装置の番組の受信中に、前記リモコン装置からの制御信号に基づいて、動作モードを前記設定モードに切り換え、かつ、
前記空きスイッチと前記数字キーとを関連付けるために前記リモコン装置から送信される制御信号と、タイマー時間を受信すると、前記空きスイッチおよび前記数字キーと、前記タイマー時間とを関連付けて前記メモリに格納するように構成されている、請求項２または３に記載のテレビジョン受信装置。
【請求項６】
前記空きスイッチは、バックキーおよび決定キーのいずれかを含む、請求項１〜５のいずれかに記載のテレビジョン受信装置。
【請求項７】
前記数字キーに関連付けられた動作は、チャンネルの選局と、画面の表示モードの変更と、タイマー時間の設定とのいずれかを含む、請求項１〜６のいずれかに記載のテレビジョン受信装置。
【請求項８】
テレビジョン受信装置を制御するための方法であって、前記テレビジョン受信装置は、プロセッサと、前記プロセッサに接続されたメモリとを含み、
映像を表示するステップと、
前記メモリから、前記テレビジョン受信装置の動作を規定するための定義をロードするステップとを備え、前記定義は、前記リモコン装置の複数のスイッチのうちの、番組が表示されている時に前記テレビジョン受信装置の機能を変更する命令として受け付けられない信号を発信する空きスイッチと、当該スイッチに関連付けられた数字キーと、当該数字キーに関連付けられた前記テレビジョン受信装置の動作とを含み、
前記リモコン装置によって続けて発信された複数の制御信号を受信するステップと、
受信された前記複数の制御信号に基づいて、前記空きスイッチの操作および前記数字キーの操作が一定の時間内に行なわれたことを検知するステップと、
前記検知に基づいて、当該数字キーに関連付けられた動作を、前記テレビジョン受信装置に実行させるステップとを含む、テレビジョン受信装置を制御するための方法。
【請求項９】
前記テレビジョン受信装置の設定モードにおいて、前記空きスイッチと、数字キーと、前記テレビジョン受信装置の動作とを関連付けるための入力を受け付けるステップをさらに含む、請求項８に記載のテレビジョン受信装置を制御するための方法。
【請求項１０】
前記テレビジョン受信装置による番組の表示中に、前記リモコン装置からの制御信号に基づいて、動作モードを前記設定モードに切り換えるステップと、
前記空きスイッチと前記数字キーとを関連付けるために前記リモコン装置から送信される制御信号を受信すると、前記空きスイッチおよび前記数字キーと、前記番組とを関連付けて前記メモリに格納するステップとをさらに含む、請求項９に記載のテレビジョン受信装置を制御するための方法。
【請求項１１】
前記テレビジョン受信装置の番組の受信中に、前記リモコン装置からの制御信号に基づいて、動作モードを前記設定モードに切り換えるステップと、
前記空きスイッチと前記数字キーとを関連付けるために前記リモコン装置から送信される制御信号を受信すると、前記空きスイッチおよび前記数字キーと、映像を表示するための画質モードとを関連付けて前記メモリに格納するステップとをさらに含む、請求項９に記載のテレビジョン受信装置を制御するための方法。
【請求項１２】
前記テレビジョン受信装置の番組の受信中に、前記リモコン装置からの制御信号に基づいて、動作モードを前記設定モードに切り換えるステップと、
前記空きスイッチと前記数字キーとを関連付けるために前記リモコン装置から送信される制御信号と、タイマー時間を受信すると、前記空きスイッチおよび前記数字キーと、前記タイマー時間とを関連付けて前記メモリに格納するステップとをさらに含む、請求項９に記載のテレビジョン受信装置を制御するための方法。
【請求項１３】
前記空きスイッチは、バックキーおよび決定キーのいずれかを含む、請求項８〜１２のいずれかに記載のテレビジョン受信装置を制御するための方法。
【請求項１４】
前記数字キーに関連付けられた動作は、チャンネルの選曲と、画面の表示モードの変更と、タイマー時間の設定とのいずれかを含む、請求項８〜１３のいずれかに記載のテレビジョン受信装置を制御するための方法。
【発明の詳細な説明】
【技術分野】
【０００１】
本発明は、テレビジョン受信装置に関し、より特定的には、テレビジョン受信装置の制御に関する。
【背景技術】
【０００２】
テレビジョン受信装置の遠隔制御装置（いわゆるリモコン）は、テレビジョン受信装置が有する機能を実行するための操作を受け付けるために、数字キー、決定キーその他のスイッチを有する。たとえば、数字キーは、チャンネルを直接選択するために、または、数値もしくは文字の入力のために、使用される。
【０００３】
遠隔制御に関し、たとえば、特開２００４−００７１１５号公報（特許文献１）は、「リモートコントローラを備えたリモートコントローラ付き映像機器に関し、特に複数機種の遠隔制御コードを記憶し、機種を選定することにより任意の機種を遠隔制御するリモートコントローラ付き映像機器」に関する発明を開示している（段落０００１）。
【０００４】
特開２００１−２７３０７８号公報（特許文献２）は、「使いやすいキー入力制御装置を構築することでコンパクトで使いやすいＡＶＣ機器」に関する発明を開示している（段落０００８）。
【０００５】
特開平０７−１７７５８５号公報（特許文献３）は、「一つの入力キー操作の操作条件に応じて複数の指示機能を設定し、リモートコントロール装置における入力キー数を削減すること」ができるリモートコントロール装置を開示している（［要約］の［目的］）。
【０００６】
特開平０６−０７８１６９号公報（特許文献４）は、「スクリーン上のメニューを見ながら、制御しようとする機能もしくは特性を容易に選択することができる」遠隔制御装置を開示している（［要約］の［構成］）。
【０００７】
特開平０５−３２８４６３号公報（特許文献５）は、「小型化が図れかつ操作性が優れた遠隔制御装置」を開示している（段落０００６）。
【先行技術文献】
【特許文献】
【０００８】
【特許文献１】特開２００４−００７１１５号公報
【特許文献２】特開２００１−２７３０７８号公報
【特許文献３】特開平０７−１７７５８５号公報
【特許文献４】特開平０６−０７８１６９号公報
【特許文献５】特開平０５−３２８４６３号公報
【発明の概要】
【発明が解決しようとする課題】
【０００９】
一般に、テレビが映像を表示している時であっても、リモコンが有する全てのスイッチが使用される訳ではない。たとえば、常に使用されないキーとして、「戻る」と表示されたBACKキー、クリアキー、決定キー等がある。
【００１０】
一方、テレビ放送チャンネルが増加しているため、チャンネルを選択するためには、２桁あるいは３桁の数字の入力が必要になる場合もある。そのため、操作が煩雑になる場合もあった。また、いわゆる「お気に入り」にチャンネルを登録することも考えられるが、「お気に入り」の画面をテレビに表示させて登録された項目（たとえばチャンネル、設定など）を選択する場合に、操作が煩雑になる恐れもあった。
【００１１】
本発明は、上述のような問題点を解決するためになされたものであって、その目的は、使用者の操作が簡略化されるテレビを提供することである。
【課題を解決するための手段】
【００１２】
ある実施の形態に従うテレビジョン受信装置は、チューナと、テレビジョン受信装置のリモコン装置によって発信される複数の制御信号を受信するための受信器とを備える。複数の制御信号は、テレビ放送番組が表示されている時にテレビジョン受信装置の機能を変更する命令としてテレビジョン受信装置に受け付けられる信号と受け付けられない信号とを含む。テレビジョン受信装置は、テレビジョン受信装置の機能と、リモコン装置の数字キーとの割り当てを格納するためのメモリと、メモリに接続されたプロセッサとを備える。メモリは、テレビジョン受信装置の動作を規定するための定義を格納している。定義は、リモコン装置の複数のスイッチのうちの、番組が表示されている時にテレビジョン受信装置の機能を変更する命令として受け付けられない信号を発信する空きスイッチと、当該スイッチに関連付けられた数字キーと、当該数字キーに関連付けられたテレビジョン受信装置の動作とを含む。プロセッサは、空きスイッチの操作および数字キーの操作が一定の時間内に行なわれたことを検知すると、当該数字キーに関連付けられた動作を、テレビジョン受信装置に実行させるように構成されている。
【００１３】
好ましくは、プロセッサは、テレビジョン受信装置の設定モードにおいて、空きスイッチと、数字キーと、テレビジョン受信装置の動作とを関連付けるための入力を受け付けるように構成されている。
【００１４】
好ましくは、プロセッサは、テレビジョン受信装置による番組の表示中に、リモコン装置からの制御信号に基づいて、動作モードを設定モードに切り換え、かつ、空きスイッチと数字キーとを関連付けるためにリモコン装置から送信される制御信号を受信すると、空きスイッチおよび数字キーと、番組とを関連付けてメモリに格納するように構成されている。
【００１５】
好ましくは、プロセッサは、テレビジョン受信装置の番組の受信中に、リモコン装置からの制御信号に基づいて、動作モードを設定モードに切り換え、かつ、空きスイッチと数字キーとを関連付けるためにリモコン装置から送信される制御信号を受信すると、空きスイッチおよび数字キーと、映像を表示するための画質モードとを関連付けてメモリに格納するように構成されている。
【００１６】
好ましくは、プロセッサは、テレビジョン受信装置の番組の受信中に、リモコン装置からの制御信号に基づいて、動作モードを設定モードに切り換え、かつ、空きスイッチと数字キーとを関連付けるためにリモコン装置から送信される制御信号と、タイマー時間を受信すると、空きスイッチおよび数字キーと、当該タイマー時間とを関連付けてメモリに格納するように構成されている。
【００１７】
他の実施の形態に従うと、テレビジョン受信装置を制御するための方法が提供される。テレビジョン受信装置は、プロセッサと、プロセッサに接続されたメモリとを含む。この方法は、映像を表示するステップと、メモリから、テレビジョン受信装置の動作を規定するための定義をロードするステップとを備える。定義は、リモコン装置の複数のスイッチのうちの、番組が表示されている時にテレビジョン受信装置の機能を変更する命令として受け付けられない信号を発信する空きスイッチと、当該スイッチに関連付けられた数字キーと、当該数字キーに関連付けられたテレビジョン受信装置の動作とを含む。この方法は、リモコン装置によって続けて発信された複数の制御信号を受信するステップと、受信された複数の制御信号に基づいて、空きスイッチの操作および数字キーの操作が一定の時間内に行なわれたことを検知するステップと、検知に基づいて、当該数字キーに関連付けられた動作を、テレビジョン受信装置に実行させるステップとを含む。
【００１８】
好ましくは、この方法は、テレビジョン受信装置の設定モードにおいて、空きスイッチと、数字キーと、テレビジョン受信装置の動作とを関連付けるための入力を受け付けるステップをさらに含む。
【００１９】
好ましくは、この方法は、テレビジョン受信装置による番組の表示中に、リモコン装置からの制御信号に基づいて、動作モードを設定モードに切り換えるステップと、空きスイッチと数字キーとを関連付けるためにリモコン装置から送信される制御信号を受信すると、空きスイッチおよび数字キーと、番組とを関連付けてメモリに格納するステップとをさらに含む。
【００２０】
好ましくは、この方法は、テレビジョン受信装置の番組の受信中に、リモコン装置からの制御信号に基づいて、動作モードを設定モードに切り換えるステップと、空きスイッチと数字キーとを関連付けるためにリモコン装置から送信される制御信号を受信すると、空きスイッチおよび数字キーと、映像を表示するための画質モードとを関連付けてメモリに格納するステップとをさらに含む。
【００２１】
好ましくは、この方法は、テレビジョン受信装置の番組の受信中に、リモコン装置からの制御信号に基づいて、動作モードを設定モードに切り換えるステップと、空きスイッチと数字キーとを関連付けるためにリモコン装置から送信される制御信号と、タイマー時間を受信すると、空きスイッチおよび数字キーと、タイマー時間とを関連付けてメモリに格納するステップとをさらに含む。
【００２２】
好ましくは、空きスイッチは、バックキーおよび決定キーのいずれかを含む。
好ましくは、数字キーに関連付けられた動作は、チャンネルの選局と、画面の表示モードの変更と、タイマー時間の設定とのいずれかを含む。
【発明の効果】
【００２３】
この発明の上記および他の目的、特徴、局面および利点は、添付の図面と関連して理解されるこの発明に関する次の詳細な説明から明らかとなるであろう。
【図面の簡単な説明】
【００２４】
【図１】一実施の形態に従うテレビ１００を実現する機能の構成を表わすブロック図である。
【図２】テレビ１００のハードウェア構成を表わすブロック図である。
【図３】一実施の形態に従うリモコン装置３００の外観を表わす図である。
【図４】テレビ１００が備えるフラッシュメモリ２３０におけるデータの格納の一態様を概念的に表わす図である。
【図５】テレビ１００が備えるＣＰＵ２２０が定義を登録するために実行する一連の処理の一部を表わすフローチャートである。
【図６】ＣＰＵ２２０が制御する一連の処理の一部を表わすフローチャートである。
【図７】リモコン装置３００の操作に応じて切り換わるディスプレイ１６０のチャンネル表示を表わす図である。
【発明を実施するための形態】
【００２５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２６】
図１を参照して、ある実施の形態に係るテレビ１００の構成について説明する。図１は、テレビ１００を実現する機能の構成を表わすブロック図である。テレビ１００は、受信部１１０と、コントローラ１２０と、メモリ１３０と、チューナ１４０と、表示制御部１５０と、ディスプレイ１６０とを備える。コントローラ１２０は、計時部１２１と検知部１２２とを含む。コントローラ１２０は、ある局面においてはＣＰＵその他のプロセッサがプログラムを実行することにより実現される。他の局面においては、コントローラ１２０は、各処理を実行する回路素子の組み合わせとしても実現可能である。
【００２７】
メモリ１３０は、お気に入り１３１と、定義情報１３２とを含む。定義情報１３２は、たとえば登録チャンネルを含む。チューナ１４０は、アンテナ１７０に接続されている。
【００２８】
受信部１１０は、テレビ１００のリモコン装置（後述する）によって発信される複数の制御信号を受信するように構成されている。複数の制御信号は、テレビ放送番組が表示されているときにテレビ１００の機能を変更する命令としてテレビ１００に受け付けられる信号と受け付けられない信号とを含む。受信部１１０によって取得された信号は、コントローラ１２０に送られる。コントローラ１２０に送られる信号は、たとえば、「戻る」キーの押下に基づく制御信号と、「数字」キーの押下に基づく制御信号とを含む。
【００２９】
コントローラ１２０において、計時部１２１は、受信部１１０によって受信された２つの制御信号の受信間隔を計測する。検知部１２２は、空きスイッチの操作および数字キーの操作が予め設定された一定の時間内に行なわれたか否かを判断する。検知部１２２は、これらの操作が一定の時間内に行なわれたことを検知すると、コントローラ１２０は、当該数字キーに関連付けられた動作をテレビ１００に実行させるように構成されている。なお、「スイッチ」とは、リモコン装置のボタン、タッチパネルその他、命令の入力を受け付けるように構成されたものをいう。
【００３０】
メモリ１３０において、お気に入り１３１は、テレビ１００の使用者によって設定されたチャンネルを含む。定義情報１３２は、当該リモコン装置の複数のスイッチのうちの、番組が表示されているときにテレビ１００の機能を変更する命令として受け付けられない信号を発信する空きスイッチを特定するための情報と、当該空きスイッチに関連付けられた数字キーと、当該数字キーに関連付けられたテレビ１００の動作とを含む。テレビ１００の動作は、たとえばチャンネルの選局、ディスプレイ１６０による画面の表示モードの選択、テレビ１００の電源のオンオフのタイマ設定時刻などを含む。
【００３１】
チューナ１４０は、コントローラ１２０から送られる信号に基づいてチャンネルを選局する。表示制御部１５０は、チューナ１４０によって選局されたチャンネルに応じた信号に基づいてディスプレイ１６０に画面を表示する。
【００３２】
［ハードウェア構成］
図２を参照して、本実施の形態に係るテレビ１００の具体的構成について説明する。図２は、テレビ１００のハードウェア構成を表わすブロック図である。デジタルテレビ放送受信装置２００は、チューナ１４０と、入力Ｉ／Ｆ（Interface）２１６と、受光器２１２と、操作スイッチ２１４と、ＣＰＵ（Central  Processing  Unit）２２０と、フラッシュメモリ２３０と、ＲＯＭ（Read Only Memory）２３２と、ＲＡＭ（Random  Access  Memory）２３４と、データ処理部２４０とを備える。データ処理部２４０は、デマルチプレクサ２４４と、ビデオデコーダ２４６と、映像信号生成部２５２と、表示ドライバ２５４と、バッファ２５５と、ディスプレイ１６０と、オーディオデコーダ２６０と、音声信号生成部２６２と、増幅器２６４と、スピーカ２６６とを含む。チューナ１４０は、デジタル復調部２１１を含む。
【００３３】
アンテナ１７０によって受信されたデジタルテレビ放送波は、チューナ１４０に入力される。チューナ１４０において、デジタル復調部２１１は、デジタルテレビ放送波に対して復調処理を施し、当該デジタルテレビ放送波に重畳されたＭＰＥＧ（Moving  Picture  Experts  Group）２トランスポートストリーム（ＴＳ）を復元する。デジタル復調部２１１が復元したトランスポートストリーム（ＴＳ）は、データ処理部２４０に送出される。
【００３４】
受光器２１２は、デジタルテレビ放送受信装置２００のリモコン端末（図示しない）によって発信されたリモコン制御信号を受信し、その信号に応じた命令信号を入力Ｉ／Ｆ２１６に送出する。
【００３５】
操作スイッチ２１４は、デジタルテレビ放送受信装置２００の筐体（図示しない）の前面に設けられている。操作スイッチ２１４は、たとえば、ボタン、トグルスイッチ、タッチパネル等によって実現される。操作スイッチ２１４は、デジタルテレビ放送受信装置２００に対する操作指示の入力を受け付ける。操作スイッチ２１４が受け付けた指示に応じた信号は、入力Ｉ／Ｆ２１６に送出される。
【００３６】
入力Ｉ／Ｆ２１６は、受光器２１２あるいは操作スイッチ２１４から送られた信号をＡ／Ｄ（Analog to Digital）変換し、デジタルデータをＣＰＵ２２０に送出する。
【００３７】
ＣＰＵ２２０は、フラッシュメモリ２３０、ＲＯＭ２３２またはＲＡＭ２３４に格納されているデータあるいはプログラムに基づいて、デジタルテレビ放送受信装置２００の動作を制御する。たとえば、ＣＰＵ２２０は、受光器２１２によって受信されたリモコン信号に基づいて、チューナ１４０の選局動作を制御する。他の局面において、ＣＰＵ２２０は、ディスプレイ１６０における表示態様の切り換え指令、増幅器２６４に対する音声出力レベルの切り換え指令等を、データ処理部２４０に対して送出する。データ処理部２４０は、各指令に応じて、当該信号を処理する。ディスプレイ１６０は、その処理後の信号に応じて画面を表示する。スピーカ２６６は、その処理後の信号に応じて増幅された音声を出力する。
【００３８】
フラッシュメモリ２３０は、デジタルテレビ放送受信装置２００の動作を規定するために予め設定されたデータおよびプログラムを格納している。また他の局面において、フラッシュメモリ２３０は、ＣＰＵ２２０によって生成されたデータを格納する。
【００３９】
ＲＯＭ２３２は、デジタルテレビ放送受信装置２００に対して予め規定された処理を実行するために準備されたデータおよびプログラム、ならびに、デジタルテレビ放送受信装置２００に固有のデータ（たとえば製造番号など）を格納している。
【００４０】
ＲＡＭ２３４は、ＣＰＵ２２０によって生成されたデータを一時的に保持する。また、ＲＡＭ２３４は、ＣＰＵ２２０が実行するプログラムを実行可能な形式で一時的に保持する。
【００４１】
データ処理部２４０において、デマルチプレクサ２４４は、チューナ１４０から送出されたトランスポートストリーム（ＴＳ）に対して、誤り訂正およびスクランブル解除などの前処理を実行する。
【００４２】
さらに、デマルチプレクサ２４４は、入力されたトランスポートストリーム（ＴＳ）をバッファ２５５に一時的に格納する。デマルチプレクサ２４４は、その一時的に格納したトランスポートストリーム（ＴＳ）を予め設定された単位毎にバッファ２５５から読み出す。この読み出しの順序は、たとえば、予め設定されているが、これに限られない。各データは、バッファ２５５に格納された順序で読み出されてもよい。
【００４３】
デマルチプレクサ２４４は、トランスポートストリーム（ＴＳ）に多重化された複数の放送番組のデータから、ＣＰＵ２２０によって指示されたチャンネルに対応するＭＰＥＧデータと音声データとにそれぞれ分離し、分離されたＭＰＥＧデータをビデオデコーダ２４６に送出する。また、デマルチプレクサ２４４は、音声データをオーディオデコーダ２６０に送出する。
【００４４】
ビデオデコーダ２４６は、ＭＰＥＧ形式のビデオデータに対してＭＰＥＧ圧縮符号化方式に準拠した伸長処理を実行し、その処理によって得られるビデオデータを映像信号生成部２５２に送出する。
【００４５】
映像信号生成部２５２は、ビデオデコーダ２４６から出力されるデータにＯＳＤ（On  Screen  Display）のためのデータを付加して、表示用の映像信号を生成する。映像信号生成部２５２は、その生成した映像信号を表示ドライバ２５４に送出する。
【００４６】
表示ドライバ２５４は、ＣＰＵ２２０から送られる命令に従って、映像信号生成部２５２から出力された信号をディスプレイ１６０に送出する。ディスプレイ１６０は、その信号に基づき映像を表示する。
【００４７】
一方、オーディオデコーダ２６０は、デマルチプレクサ２４４から出力されたＭＰＥＧオーディオデータに対してＭＰＥＧ圧縮符号化方式に準拠した予め規定された伸長処理を実行する。オーディオデコーダ２６０は、その処理によって得られるオーディオデータを音声信号生成部２６２に送出する。
【００４８】
音声信号生成部２６２は、オーディオデコーダ２６２から送られたデータをＤ／Ａ変換を実行し、アナログの音声信号を増幅器２６４に送出する。
【００４９】
増幅器２６４は、音声信号生成部２６２から送られた音声信号を、ＣＰＵ２２０からの命令に基づいて増幅し、増幅後の信号をスピーカ２６６に送出する。スピーカ２６６は、その信号に基づき音声を出力する。スピーカ２６６は、ステレオタイプであってもモノラルスピーカであってもよい。
【００５０】
ある局面において、ＣＰＵ２２０は、テレビ１００の設定モードにおいて、当該空きスイッチと、数字キーと、テレビ１００の動作とを関連付けられるための入力を受け付けるように構成されている。
【００５１】
他の局面において、ＣＰＵ２２０は、テレビ１００による番組の表示中に、リモコン装置３００からの制御信号に基づいて動作モードを設定モードに切り換え、かつ、当該空きスイッチと数字キーとを関連付けられるためにリモコン装置３００から送信される制御信号を受信すると、空きスイッチおよび数字キーと、番組とを関連付けてフラッシュメモリ２３０に格納するように構成されている。
【００５２】
他の局面において、ＣＰＵ２２０は、テレビ１００の番組の受信中に、リモコン装置３００からの制御信号に基づいて動作モードを設定モードに切り換え、かつ、空きスイッチと数字キーとを関連付けられるためにリモコン装置３００から送信される制御信号を受信すると、空きスイッチおよび数字キーと番組を表示するための画質モードとを関連付けてフラッシュメモリ２３０に格納するように構成されている。
【００５３】
さらに他の局面において、ＣＰＵ２２０は、テレビ１００の番組の受信中に、リモコン装置３００からの制御信号に基づいて動作モードを設定モードに切り換え、かつ、空きスイッチと数字キーとを関連付けるためにリモコン装置３００から送信される制御信号とタイマ時間（たとえば電源オフまでの時間、電源オンの時刻など）とを受信すると、空きスイッチおよび数字キーと、当該タイマー時間とを関連付けてフラッシュメモリ２３０に格納するように構成されている。
【００５４】
本実施の形態において、空きスイッチは、「戻る」キー（いわゆるバックキー）、クリアキー、「決定」キー（又は「確定」キー、リターンキーとも言われる。）のいずれか１つ以上を含み得るが、これらに限られない。上述のとおり、空きスイッチは、番組が表示されているときにテレビ１００の機能を変更する命令として受け付けられない信号を発信するスイッチであればよい。また、スイッチの構成は、タッチパネル、ボタン等に限られない。入力を受け付けることができる構成であればよい。
【００５５】
図３を参照して、本実施の形態に係るリモコン装置３００について説明する。図３は、リモコン装置３００の外観を表わす図である。リモコン装置３００は、テレビ１００の使用者による操作を受け付けるための複数のスイッチを含む。複数のスイッチは、たとえば、数字キー３１０と、「戻る」キー３２０と、クリアキー３３０と、決定キー３４０とを含み得る。
【００５６】
テレビ１００が放送番組を表示中、数字キー３１０は、使用者による操作を受け付けて、操作された番号に応じた信号を発信する。テレビ１００は、その操作に応じてチャンネルを切り換える。一方、テレビ１００が番組の表示中に、使用者が、たとえば「戻る」キー３２０またはクリアキー３３０または決定キー３４０を操作した場合、リモコン装置３００は、その操作に応じた信号を発信する。しかしながら、テレビ１００は、これらのスイッチに基づいて発信された制御信号を、動作を制御するための信号として受け付けない。
【００５７】
本実施の形態において、使用者が、空きスイッチとして機能する「戻る」キー３２０、クリアキー３３０または決定キー３４０のいずれかを操作した後に予め設定された一定時間内に数字キー３１０のいずれかを操作すると、リモコン装置３００は、各操作に応じた制御信号をそれぞれ発信する。テレビ１００は、それらの制御信号を受信すると、２つの制御信号の組み合せとして使用者によって定義された設定に基づき作動する。なお、時間の計測は、たとえば、ＣＰＵ２２０の有するタイマー機能、パルスのカウント等によって行なわれるが、これらに限られない。これらの操作の間隔が計測できる態様であればよい。
【００５８】
［データ構造］
図４を参照して、本実施の形態に係るテレビ１００のデータ構造について説明する。図４は、フラッシュメモリ２３０におけるデータの格納の一態様を概念的に表わす図である。
【００５９】
フラッシュメモリ２３０は、お気に入り１３１と、定義情報１３２とを格納している。お気に入り１３１は、テレビ１００の使用者によって登録された情報である。お気に入り１３１は、グループ４１０と、番号４１２と、チャンネル４１４とを含む。グループ４１０は、複数の設定をまとめるために定義されている。番号４１２は、そのグループ４１０において使用者によって設定された項目を識別する。チャンネル４１４は、使用者によって具体的に選択されたチャンネルを識別する。たとえば、使用者が、グループ４１０における番号「１」について、番号４１２についてチャンネル「２」を選択すると、チャンネル「ＩＴＶ」が選局される。このようにすると、デジタルテレビ放送のチャンネルが多数（たとえば１００以上）あっても、使用者は容易にそのチャンネルを選択することができる。
【００６０】
定義情報１３２は、空きスイッチ４２０と、数字キー４２２と、機能４２４とを含む。空きスイッチ４２０は、テレビ１００の動作を規定するための定義が割り当てられるキーを識別する。図４に示される例では、「戻る」キーと「決定」キーとが用いられているが、その他のスイッチが空きスイッチとして使用されてもよい。
【００６１】
数字キー４２２は、空きスイッチ４２０に関連付けられている。数字キー４２２は、リモコン装置３００が備える数字キー３１０（図３）を構成する数字ボタン（たとえば、０〜９）の中から選択される。機能４２４は、空きスイッチ４２０と数字キー４２２とに関連付けられる特定の機能を識別する。たとえば、「戻る」キーについて数字ボタン「１」によって設定された定義は、「お気に入り（グループ１）のＢＢＣを選局すること」を示している。
【００６２】
すなわち、テレビ１００が、予め設定された一定時間内に「戻る」キーの操作と、数字ボタン「１」の操作とを検知すると、ＣＰＵ２２０は、ＢＢＣをチューナ１４０に選局させる。これにより、通常の動作モードで使用されない空きスイッチ（たとえば「戻る」キー」と、通常の動作モードで他の指令を受け付けるために使用されるスイッチ（数字ボタン「１」）との組み合わせによって、新たな操作を受け付けることができる。
【００６３】
［制御構造］
図５および図６を参照して、本実施の形態に係るテレビ１００の制御構造について説明する。図５は、ＣＰＵ２２０が定義を登録するために実行する一連の処理の一部を表わすフローチャートである。
【００６４】
ステップＳ５１０にて、テレビ１００のＣＰＵ２２０は、テレビ１００の動作モードを標準モードから設定モードに切り換える。ここで、標準モードとは、テレビ１００による番組の視聴が可能な通常の状態をいう。設定モードとは、テレビ１００の動作を規定するパラメータの設定が可能なモードをいう。ステップＳ５２０にて、ＣＰＵ２２０は、入力Ｉ／Ｆ２１６からの信号に基づいて、ディスプレイ１６０に表示されているメニューから、機能の割り当て設定が選択されたことを検知する。
【００６５】
ステップＳ５３０にて、ＣＰＵ２２０は、受光機２１２からの信号に基づいて、リモコン装置３００の「戻る」キー３２０の押下に基づく制御信号と、数字ボタン「１」の押下に基づく制御信号とを、予め設定された時間内に受信したことを検知する。
【００６６】
ステップＳ５４０にて、ＣＰＵ２２０は、割り当てられるチャンネル、画質モードその他の機能の選択を検知する。選択される対象は、たとえば、フラッシュメモリ２３０において既に登録されているお気に入り１３１の情報である。お気に入り１３１は、特定のチャンネル設定、画質モードの設定、タイマ時刻の設定、その他のテレビ１００の使用者によってカスタマイズ可能な設定項目を含む。
【００６７】
ステップＳ５５０にて、ＣＰＵ２２０は、数字キー（たとえば数字ボタン「１」）と選択された機能（たとえば、「お気に入り」グループ１のＢＢＣを選局）とを関連付けて、フラッシュメモリ２３０に格納する。これにより、たとえば図４に示されるように、空きスイッチ４２０について「戻る」キーと数字キーボタン（１）と、機能（お気に入り（グループ１）のＢＢＣを選局）との関連付けが実現される。使用者がその他の関連付けを行なう場合には、図５に示される処理を繰り返す。
【００６８】
図６は、図５に示される処理によって設定された定義に基づいてＣＰＵ２２０が制御する一連の処理の一部を表わすフローチャートである。
【００６９】
ステップＳ６１０にて、ＣＰＵ２２０は、「戻る」キー３２０の押下に基づく制御信号の受信を検知する。ステップＳ６２０にて、ＣＰＵ２２０は、その制御信号の受信から経過する時間の計測を開始する。
【００７０】
ステップＳ６３０にて、ＣＰＵ２２０は、数字キー３１０を構成するいずれかの数字の押下に基づく制御信号の受信を検知する。ステップＳ６４０にて、ＣＰＵ２２０は、「戻る」キー３２０の押下と数字キー３１０の押下との間隔が予め設定された一定時間以内であるか否かを判断する。ＣＰＵ２２０は、その間隔が一定時間以内であると判断すると（ステップＳ６４０にてＹＥＳ）、制御をステップＳ６５０に切り換える。そうでない場合には（ステップＳ６４０にてＮＯ）、ＣＰＵ２２０は、制御をステップＳ６６０に切り換える。
【００７１】
ステップＳ６５０にて、ＣＰＵ２２０は、「戻る」キー３２０と数字キー３１０（たとえば数字１）とに関連付けられた機能（お気に入り（グループ１）のＢＢＣを選局）を実行する。
【００７２】
ステップＳ６６０にて、ＣＰＵ２２０は、数字キー３１０（たとえば数字「１」）に基づいて選局する。
【００７３】
［表示態様］
図７を参照して、本実施の形態に係るテレビ１００による画面の表示態様について説明する。図７は、リモコン装置３００の操作に応じて切り換わるディスプレイ１６０のチャンネル表示を表わす図である。
【００７４】
画面（Ａ）に示されるように、テレビ１００のディスプレイ１６０は、４チャンネルの番組を表示しているとする。この状態で、使用者がリモコン装置３００の数字キー３１０に対して数字「１」を押下したとき、通常の動作として、画面（Ｂ）に示されるように、ディスプレイ１６０は、４チャンネルの表示から１チャンネルの表示に切り換わる。また、使用者が、「戻る」キー３２０その他の空きスイッチと、数字ボタン「１」とを連続して押下した場合であって各押下の間隔が予め定められた時間よりも長い場合、テレビ１００は、当該空きスイッチの制御信号を無視し、数字ボタン「１」の押下のみを受け付ける。この場合も、画面（Ｂ）に示されるように、ディスプレイ１６０は、４チャンネルの表示から１チャンネルの表示に切り換わる。
【００７５】
一方、使用者が「戻る」キー３２０と数字「１」とを連続して押下した場合であって各押下の間隔が一定時間以内である場合には、テレビ１００は、「戻る」キー３２０の押下に基づく制御信号を有効な制御信号として受け付ける。この場合、２つの制御信号に基づいて特定される機能（たとえば、「お気に入り（グループ１）のＢＢＣを選局」）が実行される。その結果、画面（Ｃ）に示されるように、ディスプレイ１６０の表示は、４チャンネルからＢＢＣのチャンネルに切り換わる。
【００７６】
以上のようにして、本実施の形態に係るテレビ１００が番組を表示している間に使用されないリモコン３００の空きスイッチ（たとえば、「戻る」キー、決定キー、クリアキー等）と数字キーとが、予め定められた一定時間内に続けて操作された場合には、テレビ１００は、空きスイッチの操作と、数字キーの操作との組み合わせを、新たな命令の入力と判断して、当該組み合わせに割り当てられた機能を実行する。具体的には、３回以上の操作が求められるような機能の実行（特定の登録チャンネルの選局、テレビ１００の動作モードの設定など）を、２回の操作（＝空きスイッチの操作と数字キーの操作）によって実現できる。その結果、使用者に求められる操作回数が少なくなるため、テレビ１００の操作に関する利便性が向上する。たとえば、複雑な操作が短時間で実行可能となる。また、必要以上にリモコン３００のスイッチの数を増やす必要がなくなる。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１００  テレビ、１１０  受信部、１２０  コントローラ、１２１  計時部、１２２  検知部、１３０  メモリ、１３１  お気に入り、１３２  定義情報、１４０  チューナ、１５０  表示制御部、１６０  ディスプレイ、１７０  アンテナ、２１１  デジタル復調部、２１２  受光器、２１４  操作スイッチ、２１６  入力Ｉ／Ｆ、２２０  ＣＰＵ、２３０  フラッシュメモリ、２３２  ＲＯＭ、２３４  ＲＡＭ、２４０  データ処理部、２４４  デマルチプレクサ、２４６  ビデオデコーダ、２５２  映像信号生成部、２５４  表示ドライバ、２５５  バッファ、２６０  オーディオデコーダ、２６２  音声信号生成部、２６４  増幅器、２６６  スピーカ、３００  リモコン、３１０  数字キー、３２０  「戻る」キー、３３０  クリアキー、３４０  決定キー。
【図１】
2011003959.tif 000003
【図２】
2011003959.tif 000004
【図３】
2011003959.tif 000005
【図４】
2011003959.tif 000006
【図５】
2011003959.tif 000007
【図６】
2011003959.tif 000008
【図７】
2011003959.tif 000009